(57)【要約】  【課題】袖机が備える袖構造体の奥方の領域を有効に活用できるようにする。  【解決手段】収納空間Ｓ１、Ｓ２を内在させる袖構造体２を側部に設けた袖机において、前記袖構造体２を、前方に開口しかつ後方が後壁２１５により袖机の後端の手前で閉じられた第一の収納空間Ｓ１と、前記後壁２１５と袖机の後端との間の領域に構成された第二の収納空間Ｓ２とを有するものとした。これにより、袖構造体２の奥方の領域に新たな活用の途が与えられる。  【選択図】図７
2005211389.tif 000002
【特許請求の範囲】
【請求項１】
収納空間を内在させる袖構造体を側部に設けた袖机であって、
前記袖構造体が、前方に開口しかつ後方が後壁により袖机の後端の手前で閉じられた第一の収納空間と、前記後壁と袖机の後端との間の領域に構成された第二の収納空間とを有していることを特徴とする袖机。
【請求項２】
前記第二の収納空間は内側方に開口する一方、外側方及び後方からは遮蔽されている請求項１記載の袖机。
【請求項３】
前記袖構造体の前面にヒンジを介して開き戸を取り付け、該開き戸により前記第一の収納空間の開口を開閉するものとしている請求項１または２記載の袖机。
【請求項４】
前記第一の収納空間の奥行方向の内寸が、所定規格のファイルの表紙幅寸法よりも大きく設定されている請求項１、２または３記載の袖机。
【請求項５】
前記第一の収納空間は、前記所定規格のファイルをその表紙高さ方向を上下に向けた状態で複数段収容し得るように構成されている請求項３記載の袖構造体。
【請求項６】
前記第二の収納空間に設けられ、かつその一端側が第二の収納空間より内側方に延伸して袖机の下肢空間に達している棚を有する請求項１、２、３、４または５記載の袖机。
【請求項７】
前記第二の収納空間に設けられ、かつその両端が第二の収納空間内に収まっている棚を有する請求項１、２、３、４または５記載の袖机。
【請求項８】
前記袖構造体の外側方の側面に、手指を掛けることができる凹部を形成してある請求項１、２、３、４、５、６または７記載の袖机。
【発明の詳細な説明】
【技術分野】
【０００１】
本発明は、オフィス等で用いられる袖机に関する。
【背景技術】
【０００２】
天板を支持する役割と物品を収納、保管する役割とを担う袖構造体を側部に設けてなる袖机が、オフィスを中心に普及している。このような袖机における袖構造体では、筐体より進退する抽斗が上下複数段に配置されることが通例であり、各抽斗の保有する収納空間に物品を収納可能となっている（例えば、下記特許文献を参照）。
【特許文献１】特開２００１−１９０３３７号公報
【発明の開示】
【発明が解決しようとする課題】
【０００３】
上記例の如き袖構造体に対し物品を出し入れするとき、その物品は前方より収納されあるいは取り出されることが専らである。従って、袖構造体が内包する収納空間の奥方が手前方と比較して本質的に利用しにくい面は否定できない。抽斗は前後に進退するため必ずしも収納空間の奥方を利用できないというわけではないが、抽斗を大きく引き出さなければ物品を奥方に収納できない、あるいは奥方に収納した物品を取り出すことができないのは必然である。このような理由により、ユーザによっては袖構造体における奥方の領域が十分に活用されない。
【０００４】
加えて、上下複数段の抽斗が存在する既存の袖構造体では、最下段の抽斗の引き代が他の抽斗のそれよりも大きくなっていることが多いが、これは逆に言えば他の抽斗を筐体内に押し入れたときにその抽斗の後端と筐体の後壁との間にデッドスペースが存在していることを意味する。
【０００５】
以上に初めて着目してなされた本発明は、袖構造体において必ずしも利用されていなかった奥方の領域を有効に活用できるようにすることをその所期の目的としている。
【課題を解決するための手段】
【０００６】
本発明では、収納空間を内在させる袖構造体を側部に設けた袖机において、前記袖構造体を、前方に開口しかつ後方が後壁により袖机の後端の手前で閉じられた第一の収納空間と、前記後壁と袖机の後端との間の領域に構成された第二の収納空間とを有するものとした。なお、ユーザが袖机を使用する際の使用端側を前、反使用端側を後ろとしている。前記第二の収納空間は、前方以外の方向（側方または後方。特に、側方）に開口するものとする。
【０００７】
即ち、前方以外の方向から物品を出し入れできる第二の収納空間を、袖構造体の奥方、第一の収納空間の背後に形成したのである。このようなものであれば、これまで必ずしも有効利用されていなかった袖構造体の奥方の領域に新たな活用の途を与えることができ、袖構造体全体として収納効率の向上が図られる。しかも、第二の収納空間は、第一の収納空間とは異なる態様、用途で使用することができる。例えば、比較的使用頻度の高い物品を第一の収納空間に収納し、比較的使用頻度の低い物品を第二の収納空間に収納する、といった使用が可能である。つまり、袖構造体の使用のフレキシビリティが増す。
【０００８】
前記第二の収納空間が内側方に開口する一方、外側方及び後方から遮蔽されているならば、第二の収納空間に対する物品の出し入れは原則として袖机の天板下の下肢空間より行うこととなる。そして、第二の収納空間に収納される物品が他者の目に触れにくくなる。該第二の収納空間は、あまり人目につかないほうが室内の雰囲気を良好に保つ履き物のような物品、または、プライバシー・セキュリティ保護の見地から他者の手の届きにくい場所に置いておきたい鞄のような物品を保管する場所として好適となる。
【０００９】
袖構造体の奥方の領域にある第二の収納空間へは前方以外の方向から物品を出し入れできるようにしたため、前後に進退移動する抽斗を必ずしも配置せずともよくなる。抽斗を排することで抽斗に付帯するサスペンションレール機構等も不要となり、製造コストの低減につながる。前記袖構造体の前面には、第一の収納空間の開口を開閉する開き戸を取り付けることが簡便である。
【００１０】
近時のオフィスでは、書類用紙として所定サイズ（典型的には、Ａ４）の紙を使用することが一般的であり、そのサイズに合わせて規格化されたファイルを取り扱うこともしばしばである。しかして、前記第一の収納空間の奥行方向の内寸が、所定規格のファイルの表紙幅寸法よりも大きいならば、表紙幅方向を収納空間の奥行方向に沿わせた状態、つまり背を前方に向けた状態で所定規格のファイルを収納することが可能である。ここで、表紙幅とは、ファイルの表表紙または裏表紙の、背に連なる方向の寸法を言う。さらに、前記第一の収納空間が、前記所定規格のファイルをその表紙高さ方向を上下に向けた状態で複数段収容し得るように構成されているならば、書棚にファイルを並べて収納する場合の如く、背を前方に向けて立てて複数のファイルを陳列し得るものとなる。表紙高さとは、ファイルの表表紙または裏表紙の、表紙幅方向に対して垂直な方向の寸法を言う。
【００１１】
前記第二の収納空間に設けられ、かつその一端側が第二の収納空間より内側方に延伸して袖机の下肢空間に達している棚を有するものとすれば、第二の収納空間及び下肢空間を連続的に物品収納のためのスペースとして使用可能となる。
【００１２】
逆に、袖机を使用しているユーザの足との干渉を避けるべく、第二の収納空間に設けるべき棚の側端を第二の収納空間内に収め、下肢空間側に突出させないようにすることも好ましい。
【００１３】
加えて、前記袖構造体の外側方の側面に、手指を掛けることができる凹部を形成してあれば、袖机の運搬の際にこれを利用できる。
【発明の効果】
【００１４】
本発明によれば、袖机が備える袖構造体の奥方の領域を有効活用することが可能である。
【発明を実施するための最良の形態】
【００１５】
以下、本発明の一実施形態を、図面を参照して説明する。図１、図２に示すものは、オフィス等で使用される袖机である。本実施形態の袖机は、天板３と、天板３を支持する左右両側の袖構造体１、２と、袖机の後端（反使用端）に設けられ天板３下の下肢空間を隠蔽する幕板４とを具備する。
【００１６】
袖机を使用するユーザから見て左側にある左袖構造体１は、袖机に一体的に設けられている筐体１１と、筐体１１内に収容される複数段の抽斗１２、１３とを主要な構成要素とする。抽斗１２、１３を筐体１１内に押し入れると、その鏡板１２１、１３１のみが正面に現れる。抽斗１２、１３を筐体１１外に引き出せば、鏡板１２１、１３１の背後に形成された収納空間ＳＵ、ＳＤを露出させることができる。
【００１７】
筐体１１は、抽斗を収容し得る内部空間を内包する。筐体１１の前面は開口しており、筐体１１の内部空間はその開口を介して外部に連通するが、側方、後方及び上方からはそれぞれ遮蔽されている。
【００１８】
本実施形態では、左袖構造体１に上下２段の抽斗１２、１３を配している。図２、図３に示すように、上段の抽斗１２は、底板１２２と、底板１２２の両側縁部より立ち上がる一対の側板１２３、１２４と、底板１２２及び両側板１２３、１２４の後縁に接合された後板１２５と、底板１２５及び両側板１２３、１２４の前縁に接合された鏡板１２１とを備え、これら底板１２２、側板１２３、１２４、後板１２５及び鏡板１２１によって包囲される収納空間ＳＵを有している。そして、袖机における内側方の側板１２４即ち右側の側板１２４の高さを、外側方の側板１２３即ち左側の側板１２３よりも低く設定して、収納空間ＳＵを内側方から上方に亘って開口させるようにしている。
【００１９】
下段の抽斗１３もまた、底板１３２と、底板１３２の両側縁部より立ち上がる一対の側板１３３、１３４と、底板１３２及び両側板１３３、１３４の後縁に接合された後板１３５と、底板１３２及び両側板１３３、１３４の前縁に接合された鏡板１３１とを備え、これら底板１３２、側板１３３、１３４、後板１３５及び鏡板１３１によって包囲される収納空間ＳＤを有している。下段の抽斗１３においても、内側方の側板１３４の高さを外側方の側板１３３よりも低く設定して、収納空間ＳＤを内側方から上方に亘って開口させてある。
【００２０】
筐体１１の両側壁１１１、１１２の内向面には、奥行方向に延びるレール機構１４、１５が、上下段の抽斗１２、１３のそれぞれに対応して設けられている。各レール機構１４、１５は、例えば既知のスライドレール機構、サスペンションレール機構等を採用したものであって、レール機構１４、１５の固定部を前記側壁１１１、１１２の内向面に取り付け、可動部を抽斗１２、１３の側板１２３、１２４、１３３、１３４の外面に取り付けて、これら固定部と可動部との相対移動を通じて抽斗１２、１３を前後にスライド移動可能に支持している。通常、レール機構１４、１５は、左右の同じ高さ位置に対をなすように設けられる。なお、下段の抽斗１３の収納空間ＳＤの奥行方向の内寸は、上段の抽斗１２の収納空間ＳＵの奥行方向の内寸よりも大きい。これに応じて、図４及び図５に示しているように、下段の抽斗１３を支持するレール機構１５の引き出しストロークは、上段の抽斗１２を支持するレール機構１４のそれと比較して長くなっている。
【００２１】
これら抽斗１２、１３は、所定規格のファイルＦ、とりわけ、Ａ４サイズの紙葉を綴じ止めるべく規格化されたＡ４判のファイルを複数収納しておくのに適しているように構成される。詳述すると、上段の抽斗１２が有する収納空間ＳＵの幅方向の内寸、言い換えるならば両側板１２３、１２４間の距離を、所定規格のファイルＦの表紙幅Ｌ１に対応させて設定している。さらに、該収納空間ＳＵを、所定規格のファイルＦをその表紙高さＬ２方向を上下に向けた状態で収容し得るものとしてある。より具体的には、上段の抽斗１２の収納空間ＳＵの高さ寸法、言い換えるならば底板１２２から鏡板１２１の上端近傍までの距離を、所定規格のファイルＦの表紙高さＬ２寸法よりも大きく設定している。これにより、図４に示すように、ファイルＦの背Ｆ１を袖机における内側方に向けた状態、つまり袖机を使用しているユーザの方に向けた状態で、複数のファイルＦを奥行方向に沿って立てて陳列することが可能となっている。上段の抽斗１２はユーザの目線に比較的近い位置に存在していることから、ユーザは上段の抽斗１２の収納空間ＳＵを側方より眺めることができ、該抽斗１２を引き出すのみでそこに収納されているファイルＦの背Ｆ１を容易に視認できる。その上で、該抽斗１２の収納空間ＳＵが内側方にも開口しているため、袖机を使用しているユーザがファイルＦその他の物品を簡便に出し入れできる使い勝手のよいものとなる。上段の抽斗１２は、比較的使用頻度の高いファイルＦを収納しておくために好適である。
【００２２】
並びに、下段の抽斗１３が有する収納空間ＳＤの奥行方向の内寸、言い換えるならば鏡板１３１から後板１３５までの距離を、所定規格のファイルＦの表紙高さＬ２寸法の複数倍に対応させている。さらに、該収納空間ＳＤを、所定規格のファイルＦをその表紙幅Ｌ１方向を上下に向けた状態で収容し得るものとしてある。より具体的には、下段の抽斗１３の収納空間ＳＤの高さ寸法を、所定規格のファイルＦの表紙幅Ｌ１寸法よりも大きく設定している。よって、図５に示すように、ファイルＦの背Ｆ１を上方に向けた状態に向けた状態で、ファイルＦを奥行方向に沿って複数個（図示例では、２個）配列することが可能である。下段の抽斗１３はユーザの目線から比較的遠い位置に存在していることから、ユーザは下段の抽斗１３の収納空間ＳＤを見下ろすこととなるが、上述のように複数のファイルＦを収納しておけば、該抽斗１３を引き出すのみでそこに収納されているファイルＦの背Ｆ１を容易に視認できる。本実施形態では、下段の抽斗１３もまたその収納空間ＳＤが内側方に開口しており、袖机を使用しているユーザがファイルＦその他の物品を簡便に出し入れできるものとなっている。下段の抽斗１３は、比較的使用頻度の低いファイルＦを収納しておくために好適である。
【００２３】
各抽斗１２、１３には、収納空間ＳＵ、ＳＤを前後に区切る一または複数の仕切板１６を装着することができる。仕切板１６は、正面視略台形状をなす薄板体であって、その下縁及び一方の側縁に外方に向けて突出する係合片１６１を形成してある。抽斗１２、１３の底板１２２、１３２及び外側方の側板１２３、１３３には、仕切板１６の係合片１６１に対応する係合溝１２６、１３６が穿ってある。通常、係合溝１２６、１３６は、奥行方向に沿って間欠的に穿たれる。そして、係合溝１２６、１３６に係合片１６１を挿入することで、抽斗１２、１３に仕切板１６を装着することができる。加えて、本実施形態における仕切板１６は、係合片１６１が形成されていない他方の側縁の上端が一方の側縁の上端よりも低い位置にあるように、その上隅部を切り落としてある。抽斗１２、１３に仕切板１６を装着した状態で、仕切板１６の上隅部を切り落としてある側が袖机における内側方に位置し、その側縁の上端が抽斗１２、１３の同じ側の側板１２４、１３４の上端に近接する。これは、収納空間ＳＵ、ＳＤが内側方から上方に亘って開口していることに伴うものであり、収納空間ＳＵ、ＳＤにファイルＦ等を出し入れする際に仕切板１６がユーザの手指と干渉してしまうのを回避する効用がある。
【００２４】
また、図６に示すように、左袖構造体１の筐体１１の内側方の側面、言い換えるならば内側方にある側壁１１２の外面に、袖机の下肢空間に渡される棚５の一端側を支持するための棚支持手段１７が設けられている。棚５は、袖机の奥行寸法の半分程度の前後幅を有するもので、袖机の後方寄りに配置され、左袖構造体１の筐体１１の側面から後述する右袖構造体２の第二の収納空間Ｓ２にまで延伸する。本実施形態の棚支持手段１７は、筐体１１の側壁１１２の外面に形成されたフック穴１７１と、該フック穴１７１に係合させることで筐体１１の側壁１１２に取り付けられる棚受け具１７２とを要素とする。通常、フック穴１７１は、高さ方向に沿って間欠的に形成される。棚５の一方の側端部は、棚受け具１７２を介して筐体１１に支持されることとなる。
【００２５】
図７、図８に示すように、袖机を使用するユーザから見て右側にある右袖構造体２は、前方より物品を出し入れ可能な第一の収納空間Ｓ１と、側方より物品を収納可能な第二の収納空間Ｓ２とを有する。本実施形態における右袖構造体２は、第一の収納空間Ｓ１を内包する収納庫２１を袖机に一体的に設け、かつ、該第一の収納空間Ｓ１の背後に第二の収納空間Ｓ２を形成したものである。
【００２６】
収納庫２１は、第一の収納空間Ｓ１を遮蔽する上壁２１１、下壁２１２、左右の側壁２１３、２１４及び後壁２１５を備えてなり、前方に開口する。収納庫２１の前面には、ヒンジを介して開き戸２２が取り付けられており、この開き戸２２によって第一の収納空間Ｓ１と外部とを連通する開口を開閉する。両側壁２１３、２１４の内向面には、高さ方向に沿って間欠的にフック穴２１６が形成されており、該フック穴２１６に係合させて棚受け具２１７を取り付けることができる。これらを利用して、第一の収納空間Ｓ１内に棚２１８を高さ位置変更可能に設置し得る。
【００２７】
収納庫２１は、所定規格のファイルＦを複数収納しておくのに適しているように構成される。詳述すると、収納庫２１に内在する第一の収納空間Ｓ１の高さ方向の内寸、言い換えるならば上壁２１１から下壁２１２までの距離を、所定規格のファイルＦの表紙高さＬ２寸法の複数倍に対応させている。さらに、第一の収納空間Ｓ１の奥行方向の内寸、言い換えるならば収納庫２１の前端近傍から後壁２１５までの距離を、所定規格のファイルＦの表紙幅Ｌ１寸法よりも大きく設定している。これにより、図９に示すように、ファイルＦの背Ｆ１を前方に向けた状態で、複数のファイルＦを立てて上下に複数段（図示例では、２段）陳列することが可能となっている。
【００２８】
しかして、第二の収納空間Ｓ２を、収納庫２１の後壁２１５と幕板４との間に存在させている。第二の収納空間Ｓ２の奥行方向の内寸は、第一の収納空間Ｓ１の奥行方向の内寸に概ね等しい。第二の収納空間Ｓ２は、袖机における内側方即ち左方に開放され、下肢空間に連通する。一方で、外側方即ち右方は閉止される。図示例では、外側方にある収納庫２１の側壁２１４を後壁２１５よりも後方に延伸させて、第二の収納空間Ｓ２を外側方より遮蔽している。第二の収納空間Ｓ２の後方は、幕板４によって遮蔽される。
【００２９】
第二の収納空間Ｓ２には、一または複数の棚５、６が設けられる。その一つは、既に述べた袖机の下肢空間に渡される棚５である。この棚５の一端側は左袖構造体１の筐体１１に支持されているが、他端側は第二の収納空間Ｓ２を外側方より遮蔽している収納庫２１の側壁２１４の後半部に支持される。棚５の他端側を支持するべく、収納庫２１の側壁２１４の後半部には、左袖構造体１の筐体１１に設けられたものと同様の棚支持手段２３が設けられる。即ち、側壁２１４の後半部の内向面に高さ方向に沿って間欠的にフック穴２３１が形成され、フック穴２３１に係合させて棚受け具２３２が取り付けられて、棚５の他端側が棚受け具２３２を介して支持される。棚５の高さ位置は、棚受け具１７２、２３２を係合させるフック穴１７１、２３１を変更することを通じて調整可能である。但し、棚５の他端側が収納庫２１の後壁２１５や幕板４に支持される態様を妨げない。もう一つは、両側端が第二の収納空間Ｓ２内に収まっている棚６である。この棚６は、下肢空間には突出しない。この棚６は、収納庫２１の側壁２１４の後半部、収納庫２１の後壁２１５、または幕板４によって支持される。本実施形態では、この棚６を上記の棚５よりも下方に設けるものとしている。図示例では、袖机の下端部、幕板４の下縁近傍に設置されている。この棚６は、袖机を使用するユーザの履き物、鞄等を載置することを主な用途として想定したもので、一部を肉抜きしてある。
【００３０】
ところで、袖机の両外側面、即ち左袖構造体１の筐体１１の外方側面、右袖構造体２の収納庫２１の外方側面にはそれぞれ、手指を掛けることができる凹部７を形成してある。これら凹部７は、袖机を運搬する際に利用される。
【００３１】
左袖構造体１と右袖構造体２との間、天板３の直下にも、抽斗８が設けられている。この中央の抽斗８は、ノート型のパーソナルコンピュータ等を収納可能であるようにその高さ方向の内寸を深めに設定してある。
【００３２】
本実施形態によれば、収納空間Ｓ１、Ｓ２を内在させる袖構造体２を側部に設けた袖机において、前記袖構造体２を、前方に開口しかつ後方が後壁２１５により袖机の後端の手前で閉じられた第一の収納空間Ｓ１と、前記後壁２１５と袖机の後端との間の領域に構成された第二の収納空間Ｓ２とを有するものとしたため、袖構造体２の奥方の領域に前方以外の方向から物品を出し入れすることが可能となる。これまで必ずしも有効利用されていなかった袖構造体２の奥方の領域に新たな活用の途を与えることができ、袖構造体２全体として収納効率の向上が図られる。しかも、第二の収納空間Ｓ２は、第一の収納空間Ｓ１とは異なる態様、用途で使用することができる。例えば、比較的使用頻度の高い物品を第一の収納空間Ｓ１に収納し、比較的使用頻度の低い物品を第二の収納空間Ｓ２に収納する、といった使用が可能である。つまり、袖構造体２の使用のフレキシビリティが増す。
【００３３】
前記第二の収納空間Ｓ２が内側方に開口する一方、外側方及び後方から遮蔽されているため、第二の収納空間Ｓ２に対する物品の出し入れは原則として袖机の天板３下の下肢空間より行うこととなり、第二の収納空間Ｓ２に収納される物品が他者の目に触れにくくなる。該第二の収納空間Ｓ２は、あまり人目につかないほうが室内の雰囲気を良好に保つ履き物のような物品、または、プライバシー・セキュリティ保護の見地から他者の手の届きにくい場所に置いておきたい鞄のような物品を保管する場所として好適となる。
【００３４】
袖構造体２には、前後に進退移動する抽斗を配置せず、第一の収納空間Ｓ１の開口を開閉する開き戸２２を取り付けた。これにより、抽斗及び抽斗に付帯するサスペンションレール機構等が不要となり、製造コストの低減につながる。
【００３５】
前記第一の収納空間Ｓ１の奥行方向の内寸を、所定規格のファイルＦの表紙幅寸法Ｌ１よりも大きく設定したため、表紙幅Ｌ１方向を収納空間Ｓ１の奥行方向に沿わせた状態、つまり背Ｆ１を前方に向けた状態で所定規格のファイルＦを収納することが可能である。さらに、前記第一の収納空間Ｓ１が、前記所定規格のファイルＦをその表紙高さＬ２方向を上下に向けた状態で複数段収容し得るように構成されているため、書棚にファイルＦを並べて収納する場合の如く、背Ｆ１を前方に向けて立てて複数のファイルＦを陳列し得るものとなる。
【００３６】
前記第二の収納空間Ｓ２に設けられ、かつその一端側が第二の収納空間Ｓ２より内側方に延伸して袖机の下肢空間に達している棚５を有するため、第二の収納空間Ｓ２及び下肢空間を連続的に物品収納のためのスペースとして使用可能となる。
【００３７】
第二の収納空間Ｓ２に設けるべき棚６の側端を第二の収納空間Ｓ２内に収め、下肢空間側に突出させないようにしたため、この棚６が袖机を使用しているユーザの足と干渉することは避けられる。
【００３８】
加えて、前記袖構造体２の外側方の側面に、手指を掛けることができる凹部７を形成してあるため、袖机の運搬の際にこれを利用できる。
【００３９】
なお、本発明は以上に詳述した実施形態に限られるものではない。例えば、本発明に係る袖構造体２を、袖机の右側にではなく左側に設けても構わない。左袖構造体１と右袖構造体２との配置は、入れ替えることができる。
【００４０】
第二の収納空間Ｓ２の外側方を、収納庫２１の側壁２１４と以外の部材によって遮蔽する態様を妨げない。
【００４１】
逆に、図１０に例示するように、第二の収納空間Ｓ２の外側方を遮蔽せず、外側方より物品を出し入れできるようにしても構わない。また、幕板の一部を切り欠いて、物品を後方より出し入れできるように構成することも考えられる。
【００４２】
左袖構造体１の抽斗１２、１３が有する収納空間ＳＵ、ＳＤ、右袖構造体２が有する第一の収納空間Ｓ１及び第二の収納空間Ｓ２が、必ずしもＡ４版のファイルを収納対象として構成されるとは限らない。Ｂ５判のファイルや領収書、請求書を綴じるファイル等、種々の規格のファイルが市場に流通しており、Ａ４版以外のファイルに最適化されることも当然に考えられる。即ち、上記の収納空間の内寸は一意には限定されず、収納対象となるファイルの規格に応じて変更される。
【００４３】
その他各部の具体的構成は上記実施形態に限られるものではなく、本発明の趣旨を逸脱しない範囲で種々変形が可能である。
【図面の簡単な説明】
【００４４】
【図１】本発明の一実施形態における袖机を示す斜視図。
【図２】同実施形態における袖机を示す正断面図。
【図３】左袖構造体を示す側断面図。
【図４】上段の抽斗を示す斜視図。
【図５】下段の抽斗を示す斜視図。
【図６】左袖構造体に設けられる棚支持手段を示す側断面図。
【図７】右袖構造体を示す平断面図。
【図８】右袖構造体を示す側断面図。
【図９】収納庫を示す斜視図。
【図１０】本発明の一変形例を示す斜視図。
【符号の説明】
【００４５】
２…袖構造体
２１５…後壁
２２…開き戸
５…棚
６…棚
Ｓ１…第一の収納空間
Ｓ２…第二の収納空間
Ｆ…ファイル
Ｌ１…表紙幅
Ｌ２…表紙高さ
【図１】
2005211389.tif 000003
【図２】
2005211389.tif 000004
【図３】
2005211389.tif 000005
【図４】
2005211389.tif 000006
【図５】
2005211389.tif 000007
【図６】
2005211389.tif 000008
【図７】
2005211389.tif 000009
【図８】
2005211389.tif 000010
【図９】
2005211389.tif 000011
【図１０】
2005211389.tif 000012